(57)【要約】【課題】触覚スイッチを持ち、操作が改善された電気ハンドコントローラを提供する。【解決手段】特に電気的に調整可能な病院用および介護用ベッドのための電気ハンドコントローラは、複数のスイッチ（２）の上に配置された複数のコントロールキー（３）を含み、コントロールキーの事後移動、すなわちスイッチが閉じられた後の移動が得られるように、コントロールキー（３）とスイッチ（２）との間にばね要素（６）が取り付けられている。ばね要素は例えばばね脚（６）またはゴム要素とすることができる。ばね要素は、ユーザがキーを押すことをより適正に経験することを可能にし、かつ同時に、キーの粗雑な操作の結果損傷する危険性が低減される。【選択図】図４
2009515308.tif 000002
【特許請求の範囲】
【請求項１】
筐体（１）と、
電気回路および始動位置と終了位置との間で移動することのできる軸方向に可動な起動要素付きの複数のスイッチを持つプリント回路と、
前記プリント回路上に配置された平板であって、分離された複数のブリックを持ち、前記複数のブリックが、スイッチを起動させるためのコントロールキーとして前記平板の残りの部分に弾性的に接続されるように構成された平板と、
前記平板上に取り付けられた、コントロールキーのためのマーキング付きの箔と、
を備えた、特に電気的に調整可能な病院用および介護用ベッドのための電気ハンドコントローラにおいて、
前記コントロールキーの事後移動、すなわち前記スイッチの前記起動要素がその端位置に到達した後の移動が得られるように、前記コントロールキーと前記スイッチの前記起動要素との間にばね要素を配置することを特徴とするハンドコントローラ。
【請求項２】
前記スイッチが触覚スイッチであることを特徴とする、請求項１に記載のハンドコントローラ。
【請求項３】
前記ばね要素がプラスチック蓋板内のばね脚であることを特徴とする、請求項１に記載のハンドコントローラ。
【請求項４】
前記ばね要素が、好ましくは前記コントロールキーと一体的に成形されたゴム要素であることを特徴とする、請求項１に記載のハンドコントローラ。
【発明の詳細な説明】
【技術分野】
【０００１】
本発明は、請求項１の前提部分に記載された、特に電気的に調整可能な病院用および介護用ベッドのための電気ハンドコントローラに関する。
【背景技術】
【０００２】
一般的に、病院用および介護用ベッド等のためのハンドコントローラは、プラスチック筐体内のプリント回路に取り付けられた触角スイッチに基づく。触覚スイッチは、起動されると金属条片を別の金属条片に押し付けて導電路を形成する、軸方向に可動な起動要素を頂面に持つ小さいブリック状のスイッチである。スイッチはハンドコントローラの頂面のキーの下に配置され、キーは一般的に舌様形状部品であり、キーが解放されると反発して元に戻る。キーの位置およびそれらの機能を特定するグラフィック付きの箔がキー上に設けられる。箔を押すことによって、キーは内側に押し込まれ、スイッチの起動要素に影響を及ぼす。起動要素の移動は直接的かつ控えめであり、つまり対象物に対する許容差と同じまたはほぼ同じ規模である。その結果、スイッチが起動されたか否かを感じることが難しく、キーおよびスイッチを損傷するほどキーを粗雑に何回も押す原因になる。
【発明の開示】
【０００３】
本発明の目的は、触覚スイッチを持ち、操作が改善された、上述の型の電気ハンドコントローラを提供することである。
【０００４】
これは、本発明に従って、請求項１に記載するハンドコントローラを構成することによって達成される。操作キーとスイッチとの間にばね要素を設置することにより、ユーザがキーを押すことをより適正に経験することが可能になる。操作キーを１回押すと、下にあるスイッチがすぐに起動されるが、操作キーを押し続けると、ばね要素の事後移動として吸収され、したがって以前のようにスイッチを損傷させる原因にならない。触覚スイッチの電気的接続が確立された後に、触覚スイッチに事後移動は存在せず、可撓板が固定板に押し付けられることで接触が得られる。キーを押すときに、多くの人々はキーを強く押すことによって反応する。彼らは、スイッチが作動を停止することを「恐れて」、不必要に強く押す。本発明のように特定の事後移動を感じることができれば、安心することができる。スイッチがその最端位置に達したことは感じることができないので、ユーザは指を緩めて作動力を少し低減させる。ユーザは少ない力で済むことを経験し、指にあまり大きい力を掛けないので、結果的にハンドコントローラの操作は強制押込み方式にならない。これは、高齢者および身体障害者のように指の力が低下したユーザには、特に重要である。
【０００５】
本発明を認識して、ばね要素は様々な仕方で設けることができる。１実施形態で、ばね要素は、スイッチの起動要素を圧迫するキー内のばね脚として形成することができる。軟質プラスチックから作られるゴムブリックを硬質プラスチック材から作られるキーと一体的に成形した、２部品プラスチックを使用することが好都合である。
【０００６】
別の実施形態では、ばね要素はゴム要素である。原則的に、それは、操作キーとスイッチの起動要素との間に位置するゴムブリックまたは全ゴムマットとすることができる。
【０００７】
完全を期すために、ばね脚の形で事後移動を内蔵する容量性スイッチが米国特許US4,352,144および米国特許US4,090,229から公知であることに留意すべきである。米国特許US4,090,229にはさらに、スイッチの事後移動を可能にする圧縮可能な中間層を持つ、従来の設計が図１に示されている。本発明によると、スイッチおよび事後移動を得るための手段は分離されているので、一般的な触覚スイッチ、およびハンドコントローラの残りの部分で事後移動を得るための内蔵された手段を使用することが可能である。これは、スイッチの選択および事後移動機能の構造に関して、高い自由度をもたらす。
【特許文献１】米国特許US4,352,144
【特許文献２】米国特許US4,090,229
【発明を実施するための最良の形態】
【０００８】
本発明のさらなる特徴について、本発明の実施形態に関連して、添付の図面を参照しながら、以下でさらに詳しく説明する。
【０００９】
実施形態は、バックレストおよびレッグレストを上昇および下降させ、かつベッド全体をも上昇および下降させるためのアクチュエータにより、電気的に調整可能な介護用および病院用ベッドのためのハンドコントローラに関する。この目的のために、ハンドコントローラは対で配置されたキーを具備し、一方のキーが上昇をもたらし、他方が下降をもたらす。
【００１０】
ハンドコントローラは、触覚スイッチ２付きプリント回路が搭載された筐体１を備え、その上に、基本形は軸柄５の端部の円形のブリック４である舌状キー３を持つ平板がある。筐体の頂面には、キーの位置およびそれらの機能を特定するグラフィック３‘付きの蓋箔９が設けられる。
【００１１】
図４の詳細図から分かるように、キー３にはばね脚６が形成される。キーを押すことによって、ばね脚は直ちに触覚スイッチの起動要素７を押し、それによって電気接触が形成される。ボタンを押し続けると、ばね脚の移動の後も引き続き移動が生じる。たとえユーザがキーに対する圧力を解放しても、スイッチは依然として作動する。スイッチの独特の起動が生じると同時に、ユーザがキーに対して事後移動を起こさせるように、ばね脚の弾性は調整される。
【００１２】
本発明の別の実施形態を図５に提示する。ここでは、キーが、上記の設計とは対照的に、下面にばねゴム層８を具備する。このゴム層はキー３の下面に取り付けられたゴムブリックとすることができ、またはゴムをキーと一体的に成形することができる。
【００１３】
図面の図６は、キーを押すシーケンスを例証する曲線を示し、ここでｘ軸はキーの移動を示し、ｙ軸は加圧力を示す。触覚スイッチが起動されたときの最大の押圧力から出発し、その後の動きで押圧力は降下する。他の条件が同じであれば、ユーザはそれを、キーの独特の起動および弱い保持圧力を伴う、キーに対する「適正」な押圧として経験する。
【図面の簡単な説明】
【００１４】
【図１】図１は、ハンドコントローラの斜視図である。
【図２】図２は、カバー箔の無い状態のハンドコントローラの筐体の斜視図である。
【図３】図３は、ハンドコントローラの筐体およびプリント回路の斜視図である。
【図４】図４は、ばね脚付きキーの詳細図を示す。
【図５】図５は、ゴム下面付きキーの詳細図である。
【図６】図６は、キー押しを例証するグラフである。
【図１】
2009515308.tif 000003
【図２】
2009515308.tif 000004
【図３】
2009515308.tif 000005
【図４】
2009515308.tif 000006
【図５】
2009515308.tif 000007
【図６】
2009515308.tif 000008
【国際調査報告】
2009515308.tif 000009
2009515308.tif 000010
2009515308.tif 000011